(57)【要約】【課題】ねじ操作構造において、操作つまみ（操作部材およびねじ部材）を容易に装着することができ、かつ操作つまみが抜け落ちないようにすることである。【解決手段】ねじ操作構造６は、リール本体のボディ後部に装着可能なねじ込み部２６と、ねじ部材２８と、操作部材３１とを備えている。ねじ込み部２６は、雄ねじ部２７と、雄ねじ部２７と一体に形成される筒状部３３とを有している。ねじ込み部２６の雄ねじ部２７には、雄ねじ部２７の中心軸に沿って突出した突起部３０が設けられている。この突起部３０を介して、ねじ込み部２６はリール本体に装着される。ねじ部材２８では、ねじ込み部２６の雄ねじ部２７に螺合可能な雌ねじ部３４ａが内周面に設けられている。筒状部３３は、ねじ部材２８の雌ねじ部３４ａの内径より大径となるように形成されている。このとき、ねじ部材２８は、雌ねじ部３４ａの内径より大径に形成されたねじ込み部２６の筒状部３３によって、ねじ込み部２６から抜け落ちないように規制される。【選択図】      図３
2004166643.tif 000002
【特許請求の範囲】
【請求項１】
釣用リールのリール本体に取り付けられるねじ操作構造であって、
雄ねじ部と、前記雄ねじ部と一体に形成される筒状部とを有し、前記リール本体に装着可能なねじ込み部と、
前記雄ねじ部に螺合可能な雌ねじ部を内周面に有し、前記雄ねじ部に装着可能な円筒状のねじ部材と、
を備え、
前記ねじ込み部の前記筒状部は前記ねじ部材の前記雌ねじ部の内径より大径である、
釣用リールのねじ操作構造。
【請求項２】
前記ねじ部材の外周面に回転不能に装着される有底円筒状の操作部材をさらに備えている、請求項１に記載の釣用リールのねじ操作構造。
【請求項３】
前記ねじ部材の外径は、前記筒状部の外径より大きい、請求項２に記載の釣用リールのねじ操作構造。
【請求項４】
前記ねじ部材は、前記操作部材との装着面に径方向に突出した突出部を形成しており、
前記操作部材は、前記突出部に係合する凹部を有し、前記突出部と前記凹部とが係合した状態で前記ねじ部材とともに回動する、請求項２又は３に記載の釣用リールのねじ操作構造。
【請求項５】
前記ねじ部材と一体に形成され、前記ねじ部材の外周面から径方向に突出したレバー部を有する操作部材をさらに備えている、請求項１に記載の釣用リールのねじ操作構造。
【請求項６】
前記ねじ込み部は、スピニングリールの前記リール本体の後部に突出して装着可能であり、
前記操作部材は、スピニングリールのリアドラグ機構の操作つまみである、請求項２から６のいずれかに記載の釣用リールのねじ操作構造。
【請求項７】
前記ねじ込み部は、両軸受リールの前記リール本体の側方部に突出して装着可能であり、
前記操作部材は、両軸受リールのキャスティングコントロール機構の操作つまみである、請求項２から６のいずれかに記載の釣用リールのねじ操作構造。
【発明の詳細な説明】
【０００１】
【発明の属する技術分野】
本発明は、釣用リールのねじ操作構造、特に、釣用リールのリール本体に取り付けられる釣用リールのねじ操作構造に関する。
【０００２】
【従来の技術】
従来、釣用リールには、リール本体内部に組み込まれた各種の機構を調節できるようにしたねじ操作構造が広く採用されている。このようなねじ操作構造としては、たとえば、リアドラグ型スピニングリールのリアドラグ機構のドラグ力を調節するためのねじ操作構造がある。
【０００３】
従来のスピニングリールのリアドラグ機構に用いられるねじ操作構造は、リール本体後部に形成された雄ねじ部を有するねじ込み部と、雄ねじ部に螺合可能な有底円筒状の操作つまみと、リアドラグ機構を押圧する押圧部材と、操作つまみを押圧部材に固定する固定ボルトとを有している。このとき、操作つまみがねじ込み部から脱落すると、操作つまみに固定された押圧部材が抜け落ち、リアドラグ機構が分解するなどの不具合を生じる。このため、従来のスピニングリールでは、押圧部材がねじ込み部から抜け落ちないように、抜け止め部材がねじ込み部に装着されている。抜け止め部材は、たとえば半円状のバネ部材であり、両端がねじ込み部を貫通して押圧部材を係止している。このように、ねじ込み部に装着された抜け止め部材によって、押圧部材が後方に抜け落ちないように抜け止めされているので、押圧部材に固定された操作つまみもリール本体から抜け落ちないようになっている。
【０００４】
従来のねじ操作構造では、まず、リール本体に組み付けられたリアドラグ機構の後部に押圧部材を装着する。次に、ねじ込み部に抜け止め部材を装着して、押圧部材を抜け止めする。最後に、操作つまみを、ねじ込み部に螺合させた状態で、固定ボルトによって押圧部材に固定する。
【０００５】
【特許文献１】
実全昭６０−１６８３７５号公報（第１図、第６図）
【０００６】
【発明が解決しようとする課題】
従来の構成で、操作つまみをリール本体に取り付けるためには、操作つまみを固定ボルトで押圧部材に固定する前に、抜け止め部材をねじ込み部に装着して押圧部材を抜け止めしておく必要がある。このとき、リール本体の後部には、複雑なリアドラグ機構が内蔵され、限られたスペースしか確保されていないので、抜け止め部材の形状および組み付け位置は制約を受ける。こうした抜け止め部材に対する制約が、ねじ操作構造の構成と組み立て作業とを複雑なものにしている。
【０００７】
本発明の課題は、ねじ操作構造において、操作つまみ（操作部材およびねじ部材）を容易に装着することができ、かつ操作つまみが抜け落ちないようにすることである。
【０００８】
【課題を解決するための手段】
発明１に係る釣用リールのねじ操作構造は、釣用リールのリール本体に取り付けられるねじ操作構造であって、ねじ込み部と、ねじ部材とを備えている。ねじ込み部は、雄ねじ部と、雄ねじ部と一体に形成される筒状部とを有している。このねじ込み部は、リール本体に装着可能になっている。ねじ部材は、円筒状に形成され、内周面に雌ねじ部を有している。このねじ部材の雌ねじ部は、ねじ込み部の雄ねじ部に螺合可能になっている。ここで、ねじ込み部の筒状部は、ねじ部材の雌ねじ部の内径より大径になるように形成されている。このねじ操作構造では、ねじ部材をねじ込み部に装着した後、ねじ込み部をリール本体に装着する。そして、ねじ部材を回転させることによって、たとえばリール本体に組み込まれた機構を操作する。このとき、ねじ部材は、雌ねじ部の内径より大径の筒状部によってねじ込み部からの抜け落ちが規制される。
【０００９】
ここでは、ねじ込み部がリール本体に装着可能になっているので、ねじ込み部をリール本体に装着する前に、ねじ部材は雄ねじ部側からねじ込み部に容易に装着することができる。また、ねじ込み部に複雑な機構が内蔵されるような場合でも、内蔵される機構をねじ込み部にあらかじめ組み付け、ねじ部材と連結しておくことで、内蔵される機構とねじ部材とをリール本体に容易に装着することができる。一方で、ねじ込み部の筒状部は、ねじ部材の雌ねじ部の内径より大径になっているので、ねじ込み部の雄ねじ部に装着されたねじ部材を回転させても、ねじ部材の抜け落ちは筒状部によって規制される。このことから、抜け止め部材を用いることなく、ねじ部材がねじ込み部から抜け落ちないようにすることができる。
【００１０】
発明２に係る釣用リールのねじ操作構造は、発明１に記載のねじ操作構造において、ねじ部材の外周面に回転不能に装着される有底円筒状の操作部材をさらに備えている。この場合、ねじ操作構造が有底円筒状の操作部材をさらに備えているので、ねじ操作構造の操作性が向上するだけでなく、ねじ込み部を保護することもできる。また、ねじ部材がねじ込み部に取り付けられた後に、操作部材がねじ部材に装着されるので、操作部材の取り付け作業は容易になる。
【００１１】
発明３に係る釣用リールのねじ操作構造は、発明２に記載のねじ操作構造において、ねじ部材の外径が、筒状部の外径より大きくなっている。この場合、ねじ部材の外径が筒状部の外径より大きくなっているので、操作部材は、筒状部側からねじ部材に容易に装着することができる。
発明４に係る釣用リールのねじ操作構造は、発明２又は３に記載のねじ操作構造において、ねじ部材が操作部材との装着面に径方向に突出した突出部を形成しており、操作部材が突出部に係合する凹部を有し、突出部と凹部とが係合した状態で操作部材がねじ部材とともに回動する。この場合、ねじ部材の突出部と操作部材の凹部とが係合した状態で、操作部材がねじ部材とともに回動するので、操作部材に対して行った操作をねじ部材へと有効に伝達することができる。また、ねじ部材の突出部と操作部材の凹部とを係合可能にしたことで、操作部材をねじ部材に容易に位置決めして装着することができる。
【００１２】
発明５に係る釣用リールのねじ操作構造は、発明１に記載のねじ操作構造において、ねじ部材と一体に形成され、かつねじ部材の外周面から径方向に突出したレバー部を有する操作部材をさらに備えている。この場合、操作部材がねじ部材と一体に形成されているので、ねじ部材を用いることなく、操作部材をねじ込み部に雄ねじ部側から装着することができる。このとき、ねじ込み部に対する操作部材の位置決めにレバー部を利用することで、操作部材をねじ込み部に容易に装着することができる。また、操作部材のレバー部は径方向に突出しているので、ねじ操作構造の操作性を向上することができる。
【００１３】
発明６に係る釣用リールのねじ操作構造は、発明２から６のいずれかに記載のねじ操作構造において、ねじ込み部がスピニングリールのリール本体の後部に突出して装着可能であり、操作部材がスピニングリールのリアドラグ機構の操作つまみとなっている。この場合、ねじ込み部がスピニングリールのリール本体の後部に装着可能になっており、操作部材がスピニングリールのリアドラグ機構の操作つまみとなっているので、リアドラグ機構をねじ込み部にあらかじめ組み付け、操作つまみと連結しておくことで、リアドラグ機構とねじ操作構造とをリール本体に容易に装着することができる。
【００１４】
発明７に係る釣用リールのねじ操作構造は、発明２から６のいずれかに記載のねじ操作構造において、ねじ込み部が両軸受リールの前記リール本体の側方部に突出して装着可能であり、操作部材が両軸受リールのキャスティングコントロール機構の操作つまみとなっている。この場合、ねじ込み部が両軸受リールの前記リール本体の側方部に突出して装着可能であり、操作部材が両軸受リールのキャスティングコントロール機構の操作つまみとなっているので、キャスティングコントロール機構をねじ込み部にあらかじめ組み付け、操作つまみと連結しておくことで、キャスティングコントロール機構とねじ操作構造とをリール本体に容易に装着することができる。
【００１５】
【発明の実施の形態】
〔リール本体およびねじ操作構造の構成〕
図１に示す本発明の一実施形態を採用したスピニングリールは、主に、ハンドル１０を備えたリール本体１と、リール本体１の前部に回転自在に支持されたロータ２と、ロータ２の前部に配置され釣り糸を巻き取るためのスプール３とを備えている。ここで、スプール３には釣り糸を巻き取るためのベール４が、ベール４には釣り糸を案内するラインローラ５が、取り付けられている。
【００１６】
リール本体１は、図１に示すように、ボディ１ａを有しており、ボディ１ａの上部にはスピニングリールを釣り竿に取り付けるための竿取付部１ｂが形成されている。ボディ１ａの内部には、ロータ２を回転させるためのロータ駆動機構７と、スプール３をロータ２の回転軸芯に沿って前後方向に移動させることで、スプール３に釣り糸を均一に巻き取るためのレベルワインド駆動機構８とが設けられている。ボディ１ａの後部には、リアドラグ機構９が内蔵されている。このリアドラグ機構９を操作するために、ねじ操作構造６がボディ１ａの後部に装着されている。
【００１７】
ロータ駆動機構７は、図１に示すように、ハンドル軸１０ａとともに回転するマスターギア１１と、このマスターギア１１と噛み合うピニオンギア１２とを有している。ピニオンギア１２は筒状に形成されており、その前部はロータ２の中心部を貫通してスプール３側に延びている。ピニオンギア１２は、ボディ１ａに支持されたボールベアリング１３によって回転自在に支持されている。そして、ピニオンギア１２の中心部を、スプール軸１４が回転軸芯に沿って前後方向に摺動自在に貫通している。ピニオンギア１２の内径とスプール軸１４の外径との間には、所定の隙間が確保されている。
【００１８】
レベルワインド駆動機構８は、図１に示すように、ハンドル１０によってハンドル軸１０ａを回転させることで、スプール軸１４を前後方向に運動させる機構である。レベルワインド駆動機構８は、スプール軸１４の下奥側に配置された駆動軸１５と、駆動軸１５に沿って前後方向に移動するスライダ１６と、駆動軸１５の下方に配置されたガイド軸１７と、駆動軸１５の先端に固定されピニオンギア１２に噛み合う中間ギア（図示しない）とを有している。駆動軸１５とガイド軸１７とは、スプール軸１４と平行に配置されている。
【００１９】
リアドラグ機構９は、図２に示すように、円筒状のブッシュ１８と、複数の摩擦プレート１９ａ，２０ａからなる第１および第２摩擦係合部１９，２０と、第１摩擦係合部１９の摩擦プレート１９ａ押し付け用のコイルスプリング２１と、第２摩擦プレート２０ａ押し付け用の押圧部材２２とから構成されている。ブッシュ１８は、スプール軸１４後部の外周に嵌め込まれている。このブッシュ１８に対して、スプール軸は回動不能かつ摺動自在になっている。ブッシュ１８後部の外周面上には第１フランジ部２３が、ブッシュ１８前部の外周面上には第２フランジ部２４が、それぞれ設けられている。そして、第１および第２フランジ部２３，２４に、第１および第２摩擦係合部１９，２０の摩擦プレート１９ａ，２０ａがそれぞれ配置されている。第１摩擦係合部１９の後部にはコイルスプリング２１が装着され、第２摩擦係合部２０の後部には押圧部材２２が配置されている。
【００２０】
ねじ操作構造６は、図２に示すように、リール本体１のボディ１ａ後部に配置されるねじ込み部２６と、第１ねじ部材２８と、第１および第２操作部材３１，３２とを備えている。ねじ込み部２６は、図３およぶ図４に示すように、雄ねじ部２７と、雄ねじ部２７と一体に形成される筒状部３３とを有している。ねじ込み部２６の雄ねじ部２７には、雄ねじ部２７の中心軸に沿って突出した突起部３０が設けられている。この突起部３０には、ねじ込み部２６をリール本体１のボディ１ａに装着するためのボルト穴３０ａが形成されている。第１ねじ部材２８では、図２および図３に示すように、ねじ込み部２６の雄ねじ部２７に螺合可能な雌ねじ部３４ａが内周面に設けられている。第１ねじ部材２８は、雄ねじ部２７後方側で雄ねじ部２７に螺合可能に装着されている。また、第１ねじ部材２８の外形は、筒状部３３の外形より大径に形成されている。そして、第１ねじ部材２８の外周面には、径方向に突出した突出部３８ａが設けられている。筒状部３３は、第１ねじ部材２８の雌ねじ部３４ａの内径より大径となるように形成されている。
【００２１】
第１操作部材３１は、図２および図３に示すように、有底円筒状に形成され、筒状部３３を収納可能な収納部３３ａを有している。第１操作部材３１は、ねじ込み部２６の雄ねじ部２７に螺合させた第１ねじ部材２８に装着させている。収納部３３ａの底部には、押圧部４０が一体に形成されている。この押圧部４０は、第１摩擦係合部１９の後部に装着されたコイルスプリング２１に直列に連結されている。第１操作部材３１の円筒内周面上には、凹部４２ａが形成されている。この凹部４２ａと、第１ねじ部材２８の突出部３８ａとは嵌合可能になっている。そして、凹部４２ａと突出部３８ａとを嵌合させた後、凹部４２ａから突出部３８ａが抜け出さないように、凹部４２ａの底部には規制部４３ａが形成されている。この規制部４３ａは、凹部４２ａの底部から第１ねじ部材２８の中心に向けて突出した突起で構成されている。
【００２２】
第２操作部材３２は、図２および図４に示すように、円筒状に形成されている。第２操作部材３２の内周面には、ねじ込み部２６の雄ねじ部２７に螺合可能な雌ねじ部３４ｂが設けられている。この雌ねじ部３４ｂを、第１操作部材３１の前方でねじ込み部２６の雄ねじ部２７に螺合させている。また、第２操作部材３２の外周面上には、径方向に突出したレバー部４１が形成されている。第２操作部材３２と押圧部材２２との間には、第２操作部材３２の動作を押圧部材２２に伝達するために、押圧部材２２を回転不能かつ軸方向移動可能に係止する係止部３７が配置されている。
【００２３】
〔リール本体およびねじ操作構造の動作〕
リール本体１からの糸繰り出し時には、ベール４を糸開放側に倒す。そして、釣り竿をキャスティングすると、スプール３から釣り糸が繰り出される。糸巻き取り時には、ベール４を糸巻取側に戻す。この状態でハンドル１０を糸巻取方向に回転させると、この回転力がハンドル軸１０ａ及びマスターギア１１を介してピニオンギア１２に伝達される。ピニオンギア１２に伝達された回転力は、ピニオンギア１２の前部においてロータ２を回転させる。一方で、ピニオンギア１２に伝達された回転力は、ピニオンギア１２に噛み合う中間ギア（図示しない）を介して駆動軸１５を回転させる。このとき、駆動軸１５の螺旋溝に噛み合うスライダ１６が、ガイド軸１７に案内され前後方向に移動する。スライダ１６が移動すると、スライダ１６とともにスプール軸１４とスプール３とが前後方向に往復移動する。こうしたロータ２の回転とスプール３の前後移動とによって、ベール４およびラインローラ５から案内される釣り糸は、スプール３の外周に前後方向に均一に巻き取られる。
【００２４】
リアドラグ機構９は、第１および第２操作部材３１，３２を回転させることによって、スプール３に対するドラグ力の強弱を調節するためのものである。リール本体１後部の第１操作部材３１を締め付けると、第１操作部材３１と一体に形成された押圧部４０が前方へと移動し、押圧部４０に連結されたコイルスプリング２１が押し込まれる。すると、第１摩擦係合部１９の複数の摩擦プレート１９ａ面が互いに近接し、ブッシュ１８の第１フランジ部２３が複数の摩擦プレート１９ａによって挟持される。このように、ブッシュ１８の第１フランジ部２３が押圧されることによって、ブッシュ１８に対して回動不能なスプール軸１４も回転しにくくなり、スプール３に作用するドラグ力は強くなる。一方、第１操作部材３１を弛めると、押圧部４０は後方へと移動し、コイルスプリング２１の押し込まれた状態が徐々に解除される。すると、摩擦プレート１９ａによる第１フランジ部２３の押圧が解除されて、ブッシュ１８に対して回動不能なスプール軸１４は回転しやすくなり、スプール３に作用するドラグ力は弱くなる。
【００２５】
第２操作部材３２を締め付けると、第２操作部材３２と押圧部材２２との間に配置された係合部３７を介して、押圧部材２２がスプール軸１４に沿って前方に移動する。この押圧部材２２の移動によって、第２摩擦係合部２０の複数の摩擦プレート２０ａ面が互いに近接し、ブッシュ１８の第２フランジ部２４が複数の摩擦プレート２０ａによって挟持される。このように、ブッシュ１８の第２フランジ部２４が押圧されることによって、ブッシュ１８に対して回動不能なスプール軸１４は回転しにくくなり、スプール３に作用するドラグ力は強くなる。一方、第２操作部材３２を弛めると、押圧部材２２は、スプール軸１４に沿って後方へと移動し、第２摩擦係合部２０から離れる方向へと引き戻される。すると、摩擦プレート２０ａによる第２フランジ部２４の押圧が解除されて、ブッシュ１８に対して回動不能なスプール軸１４は回転しやすくなり、スプール３に作用するドラグ力は弱くなる。
【００２６】
〔ねじ操作構造の組立手順〕
ねじ操作構造６を組み立てる際には、リール本体１のボディ１ａにねじ込み部２６を装着する前に、まず、第１ねじ部材２８を、ねじ込み部２６の雄ねじ部２７前方から後方向けて螺合させ取り付ける。つづいて、有底円筒状に形成された第１操作部材３１の底部を筒状部３３に対向させて、第１操作部材３１の底部に形成された押圧部４０をねじ込み部２６内部に挿入しながら、第１操作部材３１の円筒部を第１ねじ部材２８に嵌め込む。そして、第１操作部材３１の円筒内面上に形成された凹部４２ａを、第１ねじ部材２８に設けられた突出部３８ａに嵌めあわせる。次に、第２操作部材３２を、ねじ込み部２６の雄ねじ部２７側から嵌挿し、雄ねじ部２７前方で螺合させ取り付ける。最後に、第１および第２操作部材３１，３２が取り付けられたねじ込み部２６を、リール本体１のボディ１ａに装着し、ねじ込み部２６に設けられた突起部３０のボルト穴３０ａ位置でボルト固定する。
【００２７】
このように組み立てられる本実施形態のねじ操作構造６では、第１および第２操作部材３１，３２がねじ込み部２６に取り付けられた後に、ねじ込み部２６がリール本体１のボディ１ａに装着される。このことから、筒状部３３が第１ねじ部材２８および第２操作部材３２の雌ねじ部３４ａ，３４ｂの内径より大径に形成されていても、ボディ１ａにねじ込み部２６を装着する前に、第１ねじ部材２８および第２操作部材３２は雄ねじ部側からねじ込み部２６に容易に装着することができる。このとき、第１ねじ部材２８の外形が筒状部３３の外形より大径に形成されているので、ボディ１ａにねじ込み部２６を装着する前でも後でも、第１操作部材３１は筒状部３３側から第１ねじ部材２８に容易に装着可能である。
【００２８】
一方で、第１ねじ部材２８や第１および第２操作部材３１，３２が、ねじ込み部２６に容易に装着できるようにしたとしても、ねじ込み部２６から抜け落ちないように考慮しておくことは、リアドラグ機構９が分解するなどの不具合を防止する意味で重要である。本実施形態のねじ操作構造６では、ねじ込み部２６の筒状部３３が、第１ねじ部材２８および第２操作部材３２の雌ねじ部３４ａ，３４ｂの内径より大径に形成されている。この筒状部３３によって、第１ねじ部材２８および第２操作部材３２の抜け落ちは規制される。また、第１操作部材３１の凹部４２ａが第１ねじ部材２８の突出部３８ａに嵌め込まれることで、第１操作部材３１は第１ねじ部材２８に対して回転不能かつ軸方向移動不能になっている。このことから、第１ねじ部材２８の抜け落ちさえ規制しておけば、第１ねじ部材２８に装着された第１操作部材３１もねじ込み部２６から抜け落ちることはない。
【００２９】
以上のことから、本実施形態のねじ操作構造６では、リアドラグ機構９の機能はそのままに、操作つまみ（第１および第２操作部材３１，３２と第１ねじ部材２８）をねじ込み部２６に容易に装着することができる。また、抜け止め部材を用いることなく、操作つまみがねじ込み部２６から抜け落ちないようにすることができる。
【００３０】
〔他の実施形態〕
（ａ）  前記実施形態では、第１操作部材３１に押圧部４０を一体に形成する場合の例を示したが、第１操作部材３１の構成は、前記実施形態に限定されず、第１操作部材３１をねじ込み部２６に容易に装着することができれば、どのようなものでも良い。たとえば、第１操作部材３１と押圧部４０とを別部材として形成し、固定ボルトを用いて両部材３１，４０を固定しても良い。
【００３１】
（ｂ）  前記実施形態では、ねじ操作構造６において、第１および第２操作部材３１，３２がリアドラグ機構９の操作つまみとなる場合の例を示したが、操作部材は、前記実施形態に限定されず、リール本体１の機構を操作するものであれば、どのようなものでも良い。
図５は他の実施形態によるねじ操作構造を示している。このねじ操作構造においては、第３ねじ部材６３と、第３操作部材６５とが、両軸受リールのキャスティングコントロール機構の操作つまみとなっている。図５に示す両軸受リールのねじ操作構造は、リール本体に装着可能なねじ込み部６２と、円筒状に形成された第３ねじ部材６３と、有底円筒状に形成された第３操作部材６５とを備えている。ねじ込み部６２は、雄ねじ部６６と、雄ねじ部６６と一体に形成される筒状部６７とを有している。第３ねじ部材６３の内周面には、ねじ込み部６２の雄ねじ部６６に螺合可能な雌ねじ部６８が設けられている。また、第３ねじ部材６３の外周面上には、径方向に突出した突出部７０が形成されている。ここで、筒状部６７は、第３ねじ部材６３の雌ねじ部６８の内径より大径となるように形成されている。第３操作部材６５の円筒内周面上には凹部７１が形成され、この凹部７１の底部には規制部４３ｃが形成されている。この規制部４３ｃは、凹部７１の底部から第３ねじ部材６３の中心に向けて突出した突起で構成されている。そして、第３操作部材６５は、筒状部６７側から第３ねじ部材６３の突出部７０に嵌合可能となっている。
【００３２】
このような両軸受リールのキャスティングコントロール機構の操作つまみであっても、第３ねじ部材６３は、ねじ込み部６２の雄ねじ部６６側から装着でき、筒状部６７によって抜け落ちが規制されるので、前記実施形態と同様な効果が得られる。
（ｃ）  前記実施形態では、第１および第３操作部材３１，６５を凹部４２ａ，７１と規制部４３ａ，４３ｃとによって第１および第３ねじ部材２８，６３に固定する場合の例を示したが、第１および第３操作部材３１，６５を固定する方法は、前記実施形態に限定されず、第１および第３操作部材３１，６５は第１および第３ねじ部材２８，６３に圧入したり接着したりして固定しても良い。
【００３３】
（ｄ）  前記実施形態では、規制部４３ａ，４３ｃの突起によって、第１および第３操作部材３１，６５が第１および第３ねじ部材２８，６３から抜け出さないようにした場合の例を示したが、規制部４３ａ，４３ｃの形状は、前記実施形態に限定されず、抜け出しを防止することができれば、どのような形状にしても良い。
【００３４】
【発明の効果】
本発明によれば、ねじ操作構造において、ねじ込み部がリール本体に装着可能になっているので、ねじ込み部をリール本体に装着する前に、ねじ部材や操作部材はねじ込み部に容易に装着することができる。また、ねじ込み部をリール本体に装着した後は、ねじ込み部の筒状部が雌ねじ部の内径より大径になっているので、ねじ部材や操作部材の抜け落ちを筒状部によって規制することができる。
【図面の簡単な説明】
【図１】本発明の第１実施形態によるスピニングリールの断面図。
【図２】スピニングリールのねじ操作構造の拡大断面図。
【図３】ねじ操作構造（第１操作部材）の分解斜視図。
【図４】ねじ操作構造（第２操作部材）の分解斜視図。
【図５】本発明の他の実施形態の分解斜視図。
【符号の説明】
６  ねじ操作構造
９  リアドラグ機構
１８  ブッシュ
１９  第１摩擦係合部
２０  第２摩擦係合部
２１  コイルスプリング
２２  押圧部材
２３  第１フランジ部
２４  第２フランジ部
２６，６２  ねじ込み部
２７，６６  雄ねじ部
２８  第１ねじ部材
３０  突起部
３１  第１操作部材
３２  第２操作部材
３３，６７  筒状部
３４ａ，３４ｂ，６８  雌ねじ部
３７  係止部
３８ａ，７０  突出部
３９  止め輪部材
４０  押圧部
４１  レバー部
４２ａ，７１  凹部
４３ａ，４３ｃ  規制部
６３  第３ねじ部材
６５  第３操作部材
【図１】
2004166643.tif 000003
【図２】
2004166643.tif 000004
【図３】
2004166643.tif 000005
【図４】
2004166643.tif 000006
【図５】
2004166643.tif 000007